(57)【要約】【課題】  小型かつ簡単な構成で確実に冊子の最上層の１枚のみを開くことができる入紙用冊子開き装置を提供すること。【解決手段】搬送路を走行する冊子を開き、開いた間に別の用紙類を挿入する入紙用冊子開き装置であって、冊子が走行する搬送路１に沿って配置され、走行方向の先端部が前記搬送路１から離れる方向に傾斜４１ａして開口する吸引ダクト４１と、前記吸引ダクト４１の開口を覆い、該開口に沿って移動する孔開きベルト４２と、孔開きベルト４２に吸着された冊子の上層に用紙の先端に向けてエアーを吹き出すエアー供給管４３とを備え、孔開きベルト４２に吸着された冊子の上層の用紙を傾斜４１ａによる折り曲げとエアーの吹き込みとの相乗で最上層の１枚の用紙の下に重なる用紙を分離する。【選択図】    図１
2007111956.tif 000002
【特許請求の範囲】
【請求項１】
搬送路を走行する冊子を開き、開いた間に別の用紙類を挿入する入紙用冊子開き装置であって、前記搬送路に沿って配置され、走行方向の先端部が前記搬送路から離れる方向に傾斜して開口する吸引ダクトと、前記吸引ダクトの開口を覆い、該開口に沿って移動する吸引孔を有する吸着ベルトと、前記吸着ベルトで吸着された冊子の最上層の頁とその下層の頁とを分離する分離エアー吹き付け手段とからなり、搬送路を走行する冊子の最上層の頁の小口側の端部を前記吸着ベルトで吸着して、前記冊子の最上層の頁を開いてなることを特徴とする入紙用冊子開き装置。
【請求項２】
吸着ベルトで吸着する冊子に各用紙間を分離するさばきエアーを吹き付けるさばきエアー吹き付け手段を備えてなることを特徴とする請求項１に記載の入紙用冊子開き装置。
【請求項３】
吸引ダクトの開口と対向する位置に走行する冊子を搬送路に吸引する吸引手段を備えてなることを特徴とする請求項１又は請求項２に記載の入紙用冊子開き装置。
【請求項４】
吸着ベルトから冊子の背側に外れた位置に、吸着された冊子の上層の頁の押し込みを可能とした押さえ手段を設け、前記押さえ手段の押し込みで、吸着された冊子の上層の頁から最上層の頁とその下層の頁とを分離してなることを特徴とする請求項１又は請求項２又は請求項３に記載の入紙用冊子開き装置。
【発明の詳細な説明】
【技術分野】
【０００１】
本発明は、搬送路を走行する冊子の最上層の頁を開き、開いた間に別の用紙類を挿入する入紙用冊子開き装置に関するものである。
【背景技術】
【０００２】
冊子を搬送する搬送路に沿って冊子を開く冊子開き装置と別途印刷した用紙や冊子などの用紙類を供給する供給装置を配置し、搬送路上を走行する冊子を開き、開いた状態でその間に別の用紙類を挿入する入紙装置は周知である。このような入紙装置において、冊子開き装置は、一般に走行する冊子の上層の用紙を吸着する吸引ロータやサッカー（吸着盤）が用いられている。
【特許文献１】特開２０００−３１８３４６
【発明の開示】
【発明が解決しようとする課題】
【０００３】
しかし、吸引ロータによる冊子開き装置では、吸引ロータの径が大きくなり、またサッカーによる冊子開き装置では、サッカーの上下動および往復動作機構が複雑になるといった問題がある上に、折り曲げて形成した冊子では開く癖があり、確実に冊子の最上層の１枚のみを開くことが困難で、しばしば２枚以上開いてしまうという問題があった。
【０００４】
本発明が解決しようとする課題は、小型かつ簡単な構成で確実に冊子の最上層の１枚のみを開くことができるようにし、斯かる問題を解消する点にある。
【課題を解決するための手段】
【０００５】
本発明は、搬送路を走行する冊子を開き、開いた間に別の用紙類を挿入する入紙用冊子開き装置であって、前記搬送路に沿って配置され、走行方向の先端部が前記搬送路から離れる方向に傾斜して開口する吸引ダクトと、前記吸引ダクトの開口を覆い、該開口に沿って移動する吸引孔を有する吸着ベルトと、前記吸着ベルトで吸着された冊子の最上層の頁とその下層の頁とを分離する分離エアー吹き付け手段とからなり、搬送路を走行する冊子の最上層の頁の小口側の端部を前記吸着ベルトで吸着して、前記冊子の最上層の頁を開いてなることを主な特徴とする。
【発明の効果】
【０００６】
本発明の主な特徴では、吸着ベルトに吸着された冊子の上層の頁の先端部は、走行する間に傾斜により搬送路から離れる方向に折り曲げられ、その折り曲げられる先端に向けてエアーを吹き付けるので、吸引ダクトの開口に短い傾斜を形成し、その開口に沿って移動する吸着ベルトとエアー吹き付け手段とによる小型かつ簡単な構成で、吸着ベルトに吸着された冊子の最上層の頁とその下層の頁とを分離し、走行する冊子の最上層の１枚のみを確実に開くことができる。
【０００７】
また、吸引ダクトの開口と対向する位置に走行する冊子を搬送路に吸引する吸引手段を設けると、１枚の用紙を折ったものや通気性の高い冊子においても冊子全体を吸着することなく最上層の１枚のみを確実に開くことができる。さらに、吸着ベルトから冊子の背側に外れた位置に、吸着された冊子の上層の頁の押し込みを可能とした押さえ手段を設け、その押さえ手段で吸着された冊子の上層の頁を押し込むと、二つ折りした枚数が多く分厚い冊子においても開く方向に作用する弾力に抗して最上層の１枚のみを確実に開くことができる。
【発明を実施するための最良の形態】
【０００８】
小型かつ簡単な構成で確実に冊子の最上層の１枚のみを開くことができるようにする目的を、吸引ダクトの開口に搬送路から離れる方向に短い傾斜を形成し、その開口に沿って移動する吸着ベルトを設け、吸着ベルトに吸着された冊子の上層の先端に向けてエアー吹き付けることにより実現した。
【実施例１】
【０００９】
以下、本発明の実施の形態について図を参照して説明する。図１は実施例に係る入紙用冊子開き装置の構成を示す（ａ）は正面図、（ｂ）は上面図、図２は側面図、図３は図１および図２に示す冊子開き装置を設置した入紙装置の構成を示す（ａ）は上面図、（ｂ）は（ａ）のＡ−Ａ断面図である。
【００１０】
図３において、１は冊子が走行する搬送路を構成するガイド板、２は冊子を搬送する押し爪、３は冊子、４は冊子開き装置、５はガイド板、６は用紙集積棚、７は用紙、８は給紙ローラである。冊子３は押し爪２により冊子開き装置４、ガイド板５と順に押し進められる。搬送路を走行する冊子３は、冊子開き装置４を通過するとき、冊子開き装置４で冊子３の小口３ａ側に位置する上層の用紙が吸着されて開かれ、開かれた冊子３の上層の用紙をガイド板５上に載せられる。そして開かれた冊子３の上層の用紙がガイド板５上に載せられた状態で給紙ローラ８によりガイド板５の下へ用紙７を供給する。すなわち開いた冊子の間に用紙を挿入する。
【００１１】
冊子開き装置４は、図１および図２に示すように構成されている。すなわち図１および図２において、４１は吸引ダクト、４２は孔開きベルト（吸着ベルト）、４３はエアーを吹き出す孔を形成したエアー供給管（分離エアー吹き付け手段）、４４はエアーを吹き出す孔を形成したエアー供給ダクト（さばきエアー吹き付け手段）、４５は押さえローラ（ブロック状のガイドであってもよい）、４６はモータ、４７は駆動プーリ、４８は従動プーリ、４９はモータ４６に連結された駆動プーリ、５０は支持板、５１は保持板、５２は高さ調整ねじ、５２ａはナット、５３は搬送路１に配置された吸引ダクトである。
【００１２】
支持板５０は、略９０度に折り曲げられその一端は搬送路１の側縁に固定され、他端は搬送路１の上方に位置し、その端部にナット５２ａが回転自在に固定され、そのナット５２ａと調整ねじ５２が噛合している。調整ねじ５２の端部に保持板５１が固定され、この保持板５１に吸引ダクト４１、駆動プーリ４７、従動プーリ４８、エアー供給管４３および押さえローラ４５などが取り付けられており、これらはナット５２ａの回転で搬送路１からの高さ位置が冊子の厚みに応じて調整される。
【００１３】
吸引ダクト４１は搬送路１に向け、搬送路１に沿って開口され、冊子が走行する方向の先端部は搬送路１から離れる方向に短い傾斜４１ａが形成されている。駆動プーリ４７と従動プーリ４８は吸引ダクト４１の冊子が走行する方向の両側に配置されている。孔開きベルト４２は複数の貫通孔４２ａが一面に明けられ、吸引ダクト４１の開口を覆うように駆動プーリ４７と従動プーリ４８に掛け渡されている。駆動プーリ４７は駆動プーリ４９を介してモータ４６に連結され、モータ４６の回転により回転する。
【００１４】
この回転により、孔開きベルト４２は吸引ダクト４１の開口に沿って走行する冊子の速度と等速で移動し、吸引ダクト４１の開口に到達した冊子の上層の用紙は孔開きベルト４２に吸着されて孔開きベルト４２とともに移動し、傾斜４１ａの起点へ移動するとその傾斜４１ａに沿って搬送路１から離れる方向に折り曲げられる。この折り曲げにより最上層の１枚の用紙の下に重なる用紙は最上層の用紙よりも吸着力が弱いので最上層の１枚の用紙から分離される。なお、傾斜４１ａの起点部は曲率が形成されている。
【００１５】
エアーを吹き出す孔を形成したエアー供給管４３は駆動プーリ４７と冊子の走行方向に対して前方に並設され、傾斜４１ａに沿って折り曲げられた用紙の上層に先端に向けてエアーを吹き出し、最上層の１枚の用紙の下に重なる用紙を分離する。このエアーの吹き出しのタイミングは、冊子の長さ情報と冊子を搬送する押し爪（図３参照）の駆動部に設けられたエンコーダまたはパルス検知センサ等（搬送路１に検出器を設置し、その検出器による冊子の先端の検出信号を含む。）による押し爪の位置情報で決めている。
【００１６】
エアーを吹き出す孔を形成したエアー供給ダクト４４は従動プーリ４８の冊子の走行方向に対して後方に配置され、走行する冊子の小口に向けてエアーを吹き出し、冊子の上層の用紙をさばいて各用紙を分離する。このさばきエアーの吹き付けにより最上層の１枚の用紙を孔開きベルト４２に吸着させる。
【００１７】
本実施例では、押さえローラ４５と、図２に示すように吸引ダクト４１の開口と対向する位置の搬送路１に通気孔１ａを明け、その通気孔と対向して吸引ブロア５３ａを配置した吸引ダクト５３が設けられている。押さえローラ４５は保持板５１に上下位置が調整できるように取り付けられ、従動プーリ４８寄りで孔開きベルト４２よりも走行する冊子の背側に外れた位置に突出して配置されている。
【００１８】
走行する冊子が二つ折りした用紙を重ね枚数が多く分厚い場合には、冊子は開こうとする弾力があり、そのために最上層の１枚の用紙のみを吸着して開くことが困難となる。この場合、押さえローラ４５を孔開きベルト４２よりも下方に突出させて図４に示すように、孔開きベルト４２に吸着された冊子３の上層の用紙３ｃを押えて湾曲させその隙間にさばきエアーを吹き込んで分離する。これが必要でない冊子では押さえローラ４５を上方位置に待機させる。
【００１９】
吸引ダクト５３は、冊子が１枚の用紙を折ったものや通気性の高い用紙で構成されている場合、冊子全体が孔開きベルト４２に吸着されてしまい、冊子に供給する用紙が挿入できなくなる。このような冊子の場合、吸引ブロア５３ａを駆動し、冊子の下層の用紙を搬送路１に引き付け、上層に用紙を孔開きベルト４２に吸着させる。これにより冊子が１枚の用紙を折ったものや通気性の高い用紙で構成されている場合でも最上層の１枚の用紙のみを吸着して開くことができる。      
【図面の簡単な説明】
【００２０】
【図１】本発明の実施例に係る入紙用冊子開き装置の構成を示す（ａ）は正面図、（ｂ）は上面図である。
【図２】図１に示す入紙用冊子開き装置の側面図である。
【図３】図１および図２に示す冊子開き装置を設置した入紙装置の構成を示す（ａ）は上面図、（ｂ）は（ａ）のＡ−Ａ断面図である。
【図４】本発明の実施例に係る入紙用冊子開き装置の押さえローラの動作説明図である。
【符号の説明】
【００２１】
１  搬送路
２  搬送押し爪
３  冊子
４  冊子開き装置
５  ガイド板
６  用紙集積棚
７  用紙
８  給紙ローラ
４１  吸引ダクト
４２  孔開きベルト（吸着ベルト）
４３  エアー供給管（分離エアー吹き付け手段）
４４  エアー供給ダクト（さばきエアー吹き付け手段）
４５  押さえローラ
４６  モータ
４７  駆動プーリ
４８  従動プーリ
５０  支持板
５１  保持板
５２  調整ねじ
５３  吸引ダクト
【図１】
2007111956.tif 000003
【図２】
2007111956.tif 000004
【図３】
2007111956.tif 000005
【図４】
2007111956.tif 000006